【事件の表示】
　特許第６３１６０９９号発明「カラオケ装置」の特許異議申立事件について、次のとおり決定する。
【結　論】
　特許第６３１６０９９号の請求項１ないし５、７に係る特許を維持する。
【理　由】
第１　手続の経緯
　特許第６３１６０９９号の請求項１〜７に係る特許についての出願は、平成２６年５月２９日に特許出願され、平成３０年４月６日にその特許権の設定登録がされ、その後、その特許のうち、請求項１〜５、７に係る特許について、特許異議申立人半戸俊夫により特許異議の申立てがされたものである。
　　
第２　本件特許発明
　特許第６３１６０９９号の請求項１〜７に係る特許に係る発明（以下「本件特許発明１」〜「本件特許発明７」という。）は、それぞれ、その特許請求の範囲の請求項１〜７に記載された次の事項により特定されるとおりのものである
　ただし、（Ａ）〜（Ｊ）は当審で付与した。以下各構成要件を「構成要件Ａ」〜「構成要件Ｊ」という。
　　
（本件特許発明１）
（Ａ）楽曲ＩＤで特定される楽曲データ及びこれら楽曲に関する利用者楽曲リストを記憶している携帯端末と通信自在であると共に、少なくとも当該携帯端末の端末ＩＤが利用者の利用者ＩＤに関連付けられた利用者情報を備えるサーバと通信自在であるカラオケ装置であって、
（Ｂ）ログインした利用者の利用者ＩＤに基づいて、前記サーバより当該利用者の所持する携帯端末の端末ＩＤを少なくとも含む利用者情報を取得する利用者情報取得手段と、
（Ｃ）前記取得した端末ＩＤに基づいて、前記利用者の所持する携帯端末にアクセスして前記記憶されている利用者楽曲リストを取得する楽曲リスト取得手段と、
（Ｄ）前記取得した利用者楽曲リストに基づいて、少なくとも楽曲の楽曲ＩＤと当該楽曲を記憶している携帯端末の端末ＩＤとが紐付けられた選曲用楽曲リストを生成する楽曲リスト生成手段と、
（Ｅ）前記生成した選曲用楽曲リストに基づいて、カラオケ演奏する楽曲を前記利用者に選曲させる選曲楽曲登録手段と、
（Ｆ）前記選曲された楽曲の楽曲ＩＤを少なくとも登録する予約待ち行列と、
（Ｇ）前記登録された楽曲ＩＤと当該楽曲ＩＤに紐付けられた携帯端末の端末ＩＤとに基づいて、当該携帯端末にアクセスして前記楽曲データを取得する楽曲データ取得手段と、
（Ｈ）前記取得した楽曲データより少なくとも伴奏データを抽出してカラオケ演奏用データに加工する加工手段と、
（Ｉ）少なくとも前記カラオケ演奏用データを再生する再生手段と、
（Ｊ）前記カラオケ演奏用データの再生終了後、当該カラオケ演奏用データに対応する楽曲ＩＤが前記予約待ち行列に残っていない場合に、当該カラオケ演奏用データ及びこれに付随する生成データ並びに当該カラオケ演奏用データに対応する楽曲データを消去する消去手段と、を有することを特徴とする
（Ａ）カラオケ装置。
　　
（本件特許発明２）
　請求項１記載のカラオケ装置であって、
　前記加工手段は、
　前記楽曲データから主旋律の歌唱データである主ボーカルデータを抽出する主ボーカルデータ抽出手段と、
　前記楽曲データからリズム楽器演奏のデータを抽出するリズムトラックデータ抽出手段と、
　前記楽曲データからボーカルデータと前記リズムトラックデータを除した残りである伴奏データを抽出する伴奏データ抽出手段と、
　を備えることを特徴とするカラオケ装置。
（本件特許発明３）
　請求項２記載のカラオケ装置であって、
　前記加工手段は、さらに、前記主ボーカルデータから、表示用の歌詞データを生成する表示用歌詞データ生成手段を備えることを特徴とする
　カラオケ装置。
　　
（本件特許発明４）
　請求項１、２又は３記載のカラオケ装置であって、
　前記加工手段は、さらに、前記主ボーカルデータから、歌唱を採点する際の基準となるリファレンスデータを生成するリファレンスデータ生成手段と、
　前記加工手段の他に、歌唱信号を当該加工手段で生成したリファレンスデータと比較して採点する採点手段と、を備えることを特徴とする
　カラオケ装置。
　　
（本件特許発明５）
　請求項２〜４の少なくとも何れかに記載のカラオケ装置であって、
　前記加工手段は、さらに、前記楽曲データから主旋律以外の歌唱データである副ボーカルデータを抽出する副ボーカルデータ抽出手段、及び、前記主ボーカルデータから利用者の歌唱を支援するためのガイドボーカルデータを生成するガイドボーカルデータ生成手段の少なくとも何れかを備えることを特徴とする
　カラオケ装置。
　　
（本件特許発明６）
　請求項２〜５の少なくとも何れかに記載のカラオケ装置であって、
　前記加工手段は、さらに、
　前記楽曲データに基づいて当該楽曲のコード進行を分析するコード進行分析手段と、
　前記主ボーカルデータと前記コード進行に基づいて当該主ボーカルデータのハーモニーデータを生成するハーモニーデータ生成手段と、
　を備えることを特徴とするカラオケ装置。
　　
（本件特許発明７）
　請求項２、５及び６の少なくとも何れかに記載のカラオケ装置であって、
　利用者にテンポ及びキーコントロールを設定させる設定入力手段を備え、
　前記再生手段が、前記設定されたキーコントロールからピッチシフト量を特定し、前記リズムトラックデータを前記テンポに応じて再生し、前記伴奏データを当該テンポと当該ピッチシフト量とに応じて再生し、前記副ボーカルデータ、ガイドボーカルデータ及びハーモニーデータの少なくとも何れかを当該テンポと当該ピッチシフト量とに応じて再生することを特徴とする
　カラオケ装置。
　　
第３　申立理由の概要
　異議申立人は、証拠として下記甲第１〜７号証を提出し、本件特許発明１は、甲第１〜４号証に記載された発明に基づいて容易に発明でき、本件特許発明２、３は、甲第１〜５号証に記載された発明に基づいて容易に発明でき、本件特許発明４は、甲第１〜６号証に記載された発明に基づいて容易に発明でき、本件特許発明５は、甲第１〜７号証に記載された発明に基づいて容易に発明でき、本件特許発明７は、甲第１〜７号証に記載された発明に基づいて容易に発明できたものであるから、本件特許発明１〜５、７は、特許法第２９条第２項の規定により特許を受けることができない旨主張している。
　　
　　　　　　　　　　記
　甲第１号証：特開２００７−２６３９９４号公報
　甲第２号証：特開２０１３−１１４１４８号公報
　甲第３号証：特開２００１−３１２２８８号公報
　甲第４号証：特開２０１１−１３２９１号公報
　甲第５号証：特開２０１３−１６４５８４号公報
　甲第６号証：特開平１０−１４３１７９号公報
　甲第７号証：特開２００７−３３８０４号公報
　　
第４　甲各号証の記載事項、及び甲各号証に記載された発明又は技術
１　甲第１号証
（１）甲第１号証の記載事項
　甲第１号証には、「カラオケ再生装置」（発明の名称）に関し、図面と共に次に掲げる事項が記載されている（下線は当審が付与した。）。
　　
「【００１６】
　
カラオケ再生装置101
USB
インターフェース
104
通信部107
　　
「【００１８】
　USBインターフェース104は、USBケーブルを介して外部の機器と接続し、その機器との間でデータの送受信を行う。本実施形態においては、
カラオケ再生装置101は、当該USBインターフェースを介して携帯端末装置102と接続されている
　　
「【００２１】
　
通信部107は
カラオケホスト装置116との間で情報の送受信を行う
【００２２】
　データベース制御部108は、後述する中央制御部113の制御に基づいて、USBインターフェース104から入力した後述する携帯端末装置103の機器情報、USBデバイスファイル情報、オーディオファイル、通信部107から入力したカラオケ楽曲情報、カラオケ楽曲データ等を後述するUSBデバイスファイルデータベース109又はカラオケ楽曲データベース110に記録する制御を行う。また、データベース制御部108は、USBデバイスファイル情報とカラオケ楽曲情報との対応を示す楽曲テーブルを備える。
【００２３】
　
USBデバイスファイルデータベース109は、USBインターフェース104に接続されたUSBデバイス(本実施形態では携帯端末装置102)から取得した当該携帯端末装置102に記憶されているオーディオファイルに関するUSBデバイスファイル情報や携帯端末装置102から取得したオーディオファイルを記録する
USBデバイスファイル情報は、携帯端末装置102に記憶されているオーディオファイルのタグ情報に基づく情報であり、ファイル名、アーティスト名、タイトル(楽曲名)、ファイルサイズなどの情報である
【００２４】
　カラオケ楽曲データベース110は、
通信部107を介して接続されているカラオケホスト装置116
　　
「【００３２】
　次に、携帯端末装置(USBデバイス)102は、USBインターフェース(USB I/F)119、操作部120、記憶部121、制御部122を備える。本実施形態において、携帯端末装置102として携帯電話を例に挙げて説明する。当該携帯端末装置102は、USBインターフェース119を備えたUSBデバイスであり、前述したカラオケ再生装置101とは、USBケーブルを介してデータの送受信を行う。」
　　
「【００３４】
　操作部120は、電話機能等に関する操作ボタンを備え、ユーザにより操作された操作ボタンに対応する指示信号を後述する制御部122に出力する。」
　　
「【００３９】
　図４において、
ユーザがUSBケーブルを介して携帯端末装置102
をカラオケ再生装置101
に接続すると、
【００４０】
　カラオケ再生装置101に携帯端末装置102が接続されたことを認識すると、カラオケ再生装置101の中央制御部113は、
携帯端末装置102の識別番号、装置の種類を示す機器情報
【００４１】
　カラオケ再生装置101の
中央制御部113は、携帯端末装置102から機器情報を取得すると
【００４２】
　次に、中央制御部113は、携帯端末装置102に携帯端末装置102内に記憶されているオーディオファイルに関する情報(USBデバイスファイル情報)の送信要求を行う(ステップS205)。携帯端末装置102は、カラオケ再生装置101からのUSBデバイスファイル情報の送信要求に対し、記憶部121に記憶されているオーディオファイルのタグ情報等に基づくUSBデバイスファイル情報をカラオケ再生装置101に送信する。
【００４３】
　カラオケ再生装置101の
中央制御部113は、携帯端末装置102からUSBデバイスファイル情報を取得する
当該USBデバイスファイル情報を
機器情報に対応させて
【００４４】
　カラオケ再生装置101の中央制御部113は、データベース制御部108を制御し、USBデバイスファイルデータベース109に記録されたUSBデバイスファイル情報に対応するカラオケ楽曲データをカラオケ楽曲データベース110に記録されたカラオケ楽曲情報を用いて検索させる(ステップS208)。具体的には、データベース制御部108は、USBデバイスファイルデータベース109に記録されたUSBデバイスファイル情報のうちのタグ情報から、携帯端末装置102に記憶されているオーディオファイルのアーティスト名、楽曲名等に情報に基づいて、カラオケ楽曲データベース110に記録されているカラオケ楽曲情報と比較し、USBデバイスファイル情報に対応するカラオケ楽曲データが、カラオケ楽曲データベース110内、或いは、通信部107を介してカラオケホスト装置116から取得可能か否かを判断する。
【００４５】
　
データベース制御部108は、USBデバイスファイル情報とカラオケ楽曲データとの対応を示す楽曲テーブルを作成する
それぞれのオーディオファイルのタグ情報とカラオケ楽曲データのカラオケ番号とを対応させて楽曲テーブルに記録する
【００４６】
　データベース制御部108は、USBデバイスファイル情報に対応するカラオケ楽曲データがカラオケ楽曲データベース110内にある場合、すなわち、携帯端末装置102とカラオケ再生装置101に同じ楽曲のオーディオファイルとカラオケ楽曲データが記録されている場合、USBデバイスファイル情報に対応するカラオケ楽曲データベース110内にあること示す情報を楽曲テーブルに記録する。データベース制御部108は、USBデバイスファイル情報に対応するカラオケ楽曲データがカラオケ楽曲データベース110内になく、通信部107を介してカラオケホスト装置116から取得可能な場合、その旨を示す情報を楽曲テーブルに記録する。
【００４７】
　データベース制御部108は、USBデバイスファイル情報に対応するカラオケ楽曲データがカラオケ楽曲データベース110内になく、また、カラオケホスト装置116から取得不可能である場合、すなわち、携帯端末装置102に記憶されているオーディオファイルが新曲であり、当該楽曲のカラオケ楽曲データがカラオケ楽曲データベース110にもカラオケホスト装置116にもない場合、或いは、オーディオファイルにタグ情報がない場合、タグ情報が誤っている場合、タグ情報は存在するが新しいオーディオデータの場合、ユーザが作成したタグ情報である場合、データベース制御部108は、携帯端末装置102に記憶されているオーディオファイルに対応するカラオケ楽曲データがない旨を示す情報を楽曲テーブルに記録する。
【００４８】
　カラオケ再生装置101の中央制御部113は、データベース制御部108の楽曲テーブルを参照し、操作部105のリモコン装置115に、図３(ａ)に示すトップメニュー画面を表示させ(ステップS210)、ユーザによる入力があるまで待機する(ステップS211)。」
　　
「【００５０】
　
ユーザがリモコン装置115により「あなたの曲」を指定した場合、すなわち、携帯端末装置102に記憶されているオーディオファイルを選択した場合、
　【００５１】
　本実施例において、リモコン装置115には、トップメニュー画面として図３(a)に示す画面が表示されている。ユーザがトップメニュー画面において「あなたの曲」を選択した場合、中央制御部113は、携帯端末装置102に記憶されているオーディオファイルの楽曲が選択されたと判断し、
楽曲テーブルに基づいて
　【００５２】
　
ユーザの入力により特定の楽曲「たちつてと」が選択される
　　
「【００６０】
　ステップS305において、ユーザの入力により選択された楽曲「たちつてと」に対応するカラオケ楽曲データが、カラオケ再生装置に記録されてない場合、または、ステップS306において、ユーザが楽曲「たちつてと」について携帯端末装置102のオーディオファイルを再生することを選択した場合、中央制御部113は、データベース制御部108の
楽曲テーブルを参照し、選択された楽曲「たちつてと」のオーディオファイルを携帯端末装置102から取得し(ステップS311)、取得したオーディオファイルを再生する
　　
「【００６２】
　このことにより、カラオケ再生装置101では、携帯端末装置101に記憶されているオーディオファイルの楽曲と同じ楽曲のカラオケ楽曲データがカラオケ再生装置101にない場合でも、携帯端末装置102からオーディオファイルを取得し、そのオーディオファイルを再生することができる。このため、例えば、携帯端末装置102にオーディオファイルとしてカラオケ楽曲データが記憶されている場合には、当該カラオケ楽曲データを再生することができる。また、携帯端末装置102にオーディオファイルとしてオリジナル楽曲が記憶されている場合には、オリジナル楽曲のオーディオデータを再生することができるため、ボーカルが含まれるオーディオデータであるが、ユーザは、原曲のオーディオデータに合わせてカラオケを楽しむことができる。」
　　
「【００６５】
　
カラオケ再生装置101から携帯端末装置102の接続が解除された場合、中央制御部113は
楽曲テーブルをクリアし
　　
「【００６７】
　また、ユーザが再生を希望する楽曲が新曲であり、カラオケ再生装置或いはカラオケホスト装置にカラオケ楽曲データがない場合でも、携帯端末装置にカラオケ楽曲データが記憶されているときには、当該カラオケ楽曲データを再生し、ユーザはカラオケを楽しむことができる。また、カラオケ楽曲データがない場合でも、携帯端末装置にオリジナル楽曲のオーディオファイルが記憶されている場合には、当該オリジナル楽曲のオーディオファイルのオーディオデータを再生することにより、そのオリジナル楽曲にあわせて歌うことによりカラオケを楽しむことができる。」
　　
（２）甲第１号証に記載された発明
　上記（１）によると、甲第１号証には、次の発明（以下「甲１発明」という。）が記載されていると認められる。
　（１ａ）〜（１ｇ）は、各構成を区別するために当審で付与した。各構成を以下「構成１ａ」〜「構成１ｇ」という。甲１発明の各構成の末尾に対応する甲第１号証の段落番号を大括弧を用いて記載した。
　　
（甲１発明）
（１ａ）携帯端末装置102（携帯電話）とUSBインターフェースを介して接続されていると共に、カラオケホスト装置116と通信部107を介して接続されているカラオケ再生装置101であって［００１６、００１８、００２１］、
（１ｂ）ユーザが携帯端末装置102をカラオケ再生装置101に接続すると、前記携帯端末装置102の識別番号、装置の種類を示す機器情報及び前記携帯端末装置102に記憶されているUSBデバイスファイル情報を取得する中央制御部113と［００３９、００４０、００４１、００４３］、
（１ｃ）前記機器情報に対応させた前記USBデバイスファイル情報のうちのタグ情報とカラオケ楽曲データベース110のカラオケ楽曲データのカラオケ番号との対応を示す楽曲テーブルを作成するデータベース制御部108と［００４３、００４５］、
（１ｄ）ここで、前記USBデバイスファイル情報は、前記携帯端末装置102に記憶されているオーディオファイルのタグ情報に基づく情報であり、ファイル名、アーティスト名、タイトル、ファイルサイズなどの情報であり［００２３］、
（１ｅ）前記中央制御部113は、ユーザがリモコン装置115により「あなたの曲」を指定した場合、すなわち前記携帯端末装置102に記憶されているオーディオファイルを選択した場合、前記楽曲テーブルに基づいて、前記携帯端末装置102に記憶されているオーディオファイルの楽曲名を示すメニュー画面を表示し［００５０、００５１］、
（１ｆ）前記中央制御部113は、前記楽曲テーブルを参照して、選択された楽曲のオーディオファイルを前記携帯端末装置102から取得し、取得したオーディオファイルを再生し［００６０］、
（１ｇ）前記中央制御部113は、前記カラオケ再生装置101から前記携帯端末装置102の接続が解除された場合、楽曲テーブルをクリアする［００６５］
（１ａ）カラオケ再生装置101。
　　
２　甲第２号証
（１）甲第２号証の記載事項
　甲第２号証には、「サーバ装置、カラオケ曲情報提示方法、及びサーバ処理プログラム」（発明の名称）に関し、図面と共に次に掲げる事項が記載されている（下線は当審が付与した。）。
　　
「【００１６】
　［１．カラオケシステムの構成及び動作の概要］
　始めに、図１を参照して、本実施形態に係る
カラオケシステム
カラオケ装置を、以下、「コマンダ」という
「【００２１】
　先ず、
ユーザＡがカラオケ店舗外で携帯端末Ｔ１を操作してログイン要求の指示を行うと、携帯端末Ｔ１は、ログイン要求を管理サーバ３へ送信する
ログイン要求には、携帯端末用ユーザＩＤ及びパスワードが付加される
【００２２】
　次に、
管理サーバ３は、携帯端末Ｔ１からログイン要求を受信すると、携帯端末Ｔ１から要求されたログイン処理を実行する
携帯端末用ユーザＩＤを取得する
携帯端末用ユーザＩＤがログインリストに登録される
【００２３】
　次に、携帯端末Ｔ１は、管理サーバ３からのログイン結果情報にログインの成功が示される場合に、携帯端末Ｔ１に登録された少なくとも１つの楽曲を示す楽曲情報を収集する。この場合、携帯端末Ｔ１は、少なくとも１つの楽曲情報を含む楽曲リストを収集しても良い。そして、
携帯端末Ｔ１は、収集した楽曲情報または楽曲リストを管理サーバ３へ送信する
【００２４】
　次に、
管理サーバ３は、携帯端末Ｔ１から受信した楽曲情報または楽曲リストが示す楽曲の中から、コマンダ２で演奏可能なカラオケ曲を抽出する
抽出したカラオケ曲を示すカラオケ曲情報を含むカラオケ曲リストと、携帯端末Ｔ１から取得された携帯端末用ユーザＩＤとを対応付けて記憶する
【００２５】
　次に、
ユーザＡがカラオケ店舗のカラオケルーム内でリモコン１を操作してログイン要求の指示を行うと、リモコン１は、ログイン要求を管理サーバ３へ送信する
ログイン要求には、例えば、リモコン１のリモコンＩＤ、ユーザＡのカラオケ用ユーザＩＤ及びパスワードが付加される
【００２６】
　次に、
管理サーバ３は、リモコン１からログイン要求を受信すると、ログイン処理を実行する
ユーザＡのカラオケ用ユーザＩＤと、リモコン１のリモコンＩＤとが対応付けられて記憶される。このとき、ユーザＡのカラオケ用ユーザＩＤが携帯端末用ユーザＩＤに対応付けられてログインリストに登録される
リモコン１は、
カラオケ曲リストの取得要求を管理サーバ３へ送信する。カラオケ曲リストの取得要求には、カラオケ用ユーザＩＤが付加される
【００２７】
　次に、管理サーバ３は、リモコン１からカラオケ曲リストの取得要求を受信すると、リモコン１からログインしたユーザＡのカラオケ用ユーザＩＤに対応する携帯端末用ユーザＩＤが、カラオケ曲リストに対応付けられて記憶されているかどうかを判定する。そして、携帯端末用ユーザＩＤが記憶されている場合、
管理サーバ３は、携帯端末用ユーザＩＤと対応付けられたカラオケ曲リストをリモコン１へ送信する
【００２８】
　次に、
リモコン１は、管理サーバ３から受信したカラオケ曲リストを表示する
ユーザＡによりカラオケ曲リストから選曲されたカラオケ曲の予約指令を、リモコン１と対応付け状態にあるコマンダ２へ送信する
　　
（２）甲第２号証に記載された発明
　上記（１）によると、甲第２号証には、次の発明（以下「甲２発明」という。）が記載されていると認められる。
　（２ａ）〜（２ｊ）は、各構成を区別するために当審で付与した。各構成を以下「構成２ａ」〜「構成２ｊ」という。甲２発明の各構成の末尾に対応する甲第２号証の段落番号を大括弧を用いて記載した。
　　
（甲２発明）
（２ａ）ユーザＡがカラオケ店舗外で携帯端末Ｔ１を操作してログイン要求の指示を行うと、携帯端末Ｔ１は、ログイン要求を管理サーバ３へ送信し、ここで、ログイン要求には、携帯端末用ユーザＩＤ及びパスワードが付加され［００２１］、
（２ｂ）管理サーバ３は、携帯端末Ｔ１からログイン要求を受信すると、携帯端末Ｔ１から要求されたログイン処理を実行し、携帯端末用ユーザＩＤを取得し、携帯端末用ユーザＩＤがログインリストに登録され［００２２］、
（２ｃ）携帯端末Ｔ１は、収集した楽曲情報または楽曲リストを管理サーバ３へ送信し［００２３］、
（２ｄ）管理サーバ３は、携帯端末Ｔ１から受信した楽曲情報または楽曲リストが示す楽曲の中から、カラオケ装置２で演奏可能なカラオケ曲を抽出し、抽出したカラオケ曲を示すカラオケ曲情報を含むカラオケ曲リストと、携帯端末Ｔ１から取得された携帯端末用ユーザＩＤとを対応付けて記憶し［００２４］、
（２ｅ）ユーザＡがカラオケ店舗のカラオケルーム内でリモコン１を操作してログイン要求の指示を行うと、リモコン１は、ログイン要求を管理サーバ３へ送信し、ここで、ログイン要求には、リモコン１のリモコンＩＤ、ユーザＡのカラオケ用ユーザＩＤ及びパスワードが付加され［００２５］、
（２ｆ）管理サーバ３は、リモコン１からログイン要求を受信すると、ログイン処理を実行し、ユーザＡのカラオケ用ユーザＩＤと、リモコン１のリモコンＩＤとが対応付けられて記憶され、このとき、ユーザＡのカラオケ用ユーザＩＤが携帯端末用ユーザＩＤに対応付けられてログインリストに登録され［００２６］、
（２ｇ）リモコン１は、カラオケ曲リストの取得要求を管理サーバ３へ送信し、ここで、カラオケ曲リストの取得要求には、カラオケ用ユーザＩＤが付加され［００２６］、
（２ｈ）管理サーバ３は、携帯端末用ユーザＩＤと対応付けられたカラオケ曲リストをリモコン１へ送信し［００２７］、
（２ｉ）リモコン１は、管理サーバ３から受信したカラオケ曲リストを表示し、ユーザＡによりカラオケ曲リストから選曲されたカラオケ曲の予約指令を、リモコン１と対応付け状態にあるカラオケ装置２へ送信する［００２８］
（２ｊ）カラオケシステム［００１６］。
　　
３　甲第３号証
（１）甲第３号証の記載事項
　甲第３号証には、「音楽データ処理装置」（発明の名称）に関し、図面と共に次に掲げる事項が記載されている（下線は当審が付与した。）。
　
「【０００５】本発明は上記課題に鑑みなされたものであって、曲の歌詞（文字情報）を記録していないＣＤやＭＤ等の記録媒体を使用する場合にも、記録媒体に記録されている曲の歌詞を出力させることができ、どのような記録媒体であっても簡単にカラオケを楽しむことができる音楽データ処理装置を提供することを目的としている。」
　　
「【００６６】図６において、実施の形態（２）に係る音楽データ処理装置２０の第１のＤＳＰ２１は、実施の形態（１）における第１のＤＳＰ６を構成する音声認識手段１４と第１の音声合成手段１５とディレイ手段１６とに加えて、バンドパスフィルタ２２、第３のメモリ２３、カラオケ曲作成手段１７及びディレイ手段１８が装備されており、第１のメモリ５から出力された第１の音楽データが、バンドパスフィルタ２２とディレイ手段１６とカラオケ曲作成手段１７とにそれぞれ入力され、前記第１の音楽データから音声認識手段１４により文字情報を獲得する等のデジタル信号処理を行うようになっている。
【００６７】
バンドパスフィルタ２２は、
音楽データに含まれているボーカル情報の周波数帯域の信号のみを通過させて取り出すフィルタ処理を行う
【００６８】第３のメモリ２３は、バンドパスフィルタ２２が取り出した情報（ボーカル情報）を記憶し、音声認識手段１４及びカラオケ曲作成手段１７に出力するものとなっている。従って、音声認識手段１４は、第３のメモリ２３に記憶された情報（ボーカル情報）を、音声認識して文字情報に変換するようになっている。
【００６９】カラオケ曲作成手段１７は、バンドパスフィルタ２２により第１の音楽データから取り出され、第３のメモリ２３に記憶された情報を用いて、カラオケ用の音楽データ（第２の音楽データ）を作成するものである。すなわち、
バンドパスフィルタ２２により
ほぼボーカル情報のみからなる情報を差し引くことによって
音楽データ中に含まれる伴奏情報のみで構成されたカラオケ用の音楽データを作成する
　　
（２）甲第３号証に記載された技術
　上記（１）によると、甲第３号証には、次の技術（以下「甲３技術」という。）が記載されていると認められる。
　　
（甲３技術）
　バンドパスフィルタ２２により、ほぼボーカル情報のみからなる情報を差し引くことによって音楽データ中に含まれる伴奏情報のみで構成されたカラオケ用の音楽データを作成する技術
　　
４　甲第４号証
（１）甲第４号証の記載事項
　甲第４号証には、「カラオケ背景映像表示システム」（発明の名称）に関し、図面と共に次に掲げる事項が記載されている（下線は当審が付与した。）。
　　
「【０００８】
　本発明のカラオケ背景映像表示システムは、上述した目的を達成するため、以下の特徴点を有している。すなわち、本発明のカラオケ背景映像表示システムは、
予めカラオケ楽曲毎に作成した映像台本データに基づいて、サーバから受信した複数の断片映像データを繋ぎ合わせて一連の背景映像としてストリーミング再生可能であると共に、当該断片映像データを録画可能なカラオケ背景映像表示システムであって、映像台本管理手段と、背景映像再生制御手段と、を備え
　【０００９】
　映像台本管理手段は、
カラオケ楽曲別に、背景映像として再生させるための断片映像データの映像ＩＤと、各断片映像データの表示タイミングデータとを紐付けてなる映像台本ＩＤに楽曲ＩＤを対応付けて、映像台本データベースにて管理するための手段である
　【００１０】
　
背景映像再生制御手段は、任意のカラオケ楽曲の演奏に際して、以下の制御を行うための手段である
（１）演奏を行うカラオケ楽曲の映像台本データを参照し、録画された断片映像データの中に、当該映像台本データに含まれている断片映像データが存在しない場合には、当該断片映像データをストリーミング再生させる。
　【００１１】
（２）断片映像データを背景映像としてストリーミング再生させる場合であって、かつ、予約待ち行列において当該カラオケ楽曲よりも後順位のカラオケ楽曲の映像台本データに当該断片映像データが含まれている場合には、受信した当該断片映像データを録画する。
　【００１２】
（３）演奏を行うカラオケ楽曲の映像台本データを参照し、録画された断片映像データの中に、当該映像台本データに含まれている断片映像データが存在する場合には、当該録画された断片映像データを再生させる。
　【００１３】
（４）
録画された断片映像データを背景映像として再生させた場合であって、かつ、予約待ち行列において当該カラオケ楽曲よりも後順位のカラオケ楽曲の映像台本データに当該断片映像データが含まれていない場合には、当該録画された断片映像データを消去する
　　
（２）甲第４号証に記載された技術
　上記（１）によると、甲第４号証には、次の技術（以下「甲４技術」という。）が記載されていると認められる。
　　
（甲４技術）
「予めカラオケ楽曲毎に作成した映像台本データに基づいて、サーバから受信した複数の断片映像データを繋ぎ合わせて一連の背景映像としてストリーミング再生可能であると共に、当該断片映像データを録画可能なカラオケ背景映像表示システムであって、
　映像台本管理手段と、背景映像再生制御手段と、を備え、
　前記映像台本管理手段は、カラオケ楽曲別に、背景映像として再生させるための断片映像データの映像ＩＤと、各断片映像データの表示タイミングデータとを紐付けてなる映像台本ＩＤに楽曲ＩＤを対応付けて、映像台本データベースにて管理するための手段であり、
　背景映像再生制御手段は、任意のカラオケ楽曲の演奏に際して、録画された断片映像データを背景映像として再生させた場合であって、かつ、予約待ち行列において当該カラオケ楽曲よりも後順位のカラオケ楽曲の映像台本データに当該断片映像データが含まれていない場合には、当該録画された断片映像データを消去する
　カラオケ背景映像表示システム。」　
　　
５　甲第５号証
（１）甲第５号証の記載事項
　甲第５号証には、「音響処理装置」（発明の名称）に関し、図面と共に次に掲げる事項が記載されている（下線は当審が付与した。）。
　　
「【０００４】
　・・・本発明は、
音響信号から特定の成分を分離する
　　
「【０００７】
　・・・なお、本発明の音響処理装置は、複数種の音響成分が混合された音響信号のうちアタック部（発音開始の直後の立上がり部）が顕著な非調波成分の分離に特に好適に利用される。アタック部が顕著な非調波成分の典型例としては
打楽器音
　　
「【００８８】
　・・・例えば、処理係数列Ｍ[u]（または処理係数列Ｍ[u]と前述の変形例に係る処理係数列Ｍ'[u]との双方）を利用して音響信号ｘ(t)を打楽器音の音響信号ｙ(t)と残余の調波成分の音響信号ｚ(t)とに分離し、音響信号ｙ(t)および音響信号ｚ(t)とを個別に加工したうえで混合することも可能である。例えば、打楽器音の音響信号ｙ(t)の音量を増加させたうえで音響信号ｚ(t)と混合すれば、打楽器音で規定されるリズムが顕在化した音響信号を生成することが可能である。また、調波成分の音響信号ｚ(t)の音高（ピッチ）を変化させたうえで音響信号ｙ(t)と混合すれば、
打楽器音の聴感的な印象（音程感）を変化させずに調波成分のみの音高を変化させた音響信号を生成する
　　
（２）甲第５号証に記載された技術
　上記（１）によると、甲第５号証には、次の技術（以下「甲５技術」という。）が記載されていると認められる。
　　
（甲５技術）
　「音響信号から特定の成分（打楽器音）を分離する技術」
　「打楽器音の聴感的な印象（音程感）を変化させずに調波成分のみの音高を変化させた音響信号を生成する技術」
　　
６　甲第６号証
（１）甲第６号証の記載事項
　甲第６号証には、「音声信号処理装置」（発明の名称）に関し、図面と共に次に掲げる事項が記載されている（下線は当審が付与した。）。
　　
「【０００７】
【課題を解決するための手段】このため本発明においては、
音源装置から供給される音声信号の歌唱成分とマイクロフォン入力とを比較して処理を行う
歌唱成分と伴奏成分とが混合された音声信号から歌唱成分のみを取り出して比較を行う
採点も正確に行う
　　
（２）甲第６号証に記載された技術
　上記（１）によると、甲第６号証には、次の技術（以下「甲６技術」という。）が記載されていると認められる。
　　
（甲６技術）
　「歌唱成分と伴奏成分とが混合された音声信号から歌唱成分のみを取り出して、マイクロフォン入力と比較を行い、採点する技術」
　　
７　甲第７号証
（１）甲第７号証の記載事項
　甲第７号証には、「音源分離装置、音源分離プログラム及び音源分離方法」（発明の名称）に関し、図面と共に次に掲げる事項が記載されている（下線は当審が付与した。）。
　
「【０００２】
　一般に，ステレオ信号におけるＬチャンネル信号及びＲチャンネル信号の各々は，楽器の音と歌手の声，或いは
二人のデュエット歌手各々の声のように，複数の音源信号が重畳された混合音声信号となっている
　　
「【０００５】
　しかしながら，特許文献１に示される技術によっても，二人のデュエット歌手各々を音源とする場合のように，除去或いは強調（抽出）したい音源信号がＬチャンネルとＲチャンネルとの中央付近に定位しているとは限らない場合には，いずれかの音源信号のみを抽出する（他の音源信号を除去する）ことができないという問題点があった。
（略）
　従って，本発明は上記事情に鑑みてなされたものであり，その目的とするところは，
複数の音源信号が重畳された混合音声信号における各音源信号の定位の状態にかかわらず高い音源分離性能が得
　　
（２）甲第７号証に記載された技術
　上記（１）によると、甲第７号証には、次の技術（以下「甲７技術」という。）が記載されていると認められる。
　　
（甲７技術）
　「複数の音源信号が重畳された混合音声信号における各音源信号の定位の状態にかかわらず高い音源分離する技術」
　　
第５　判断
１　本件特許発明１について
（１）本件特許発明１、甲１発明
　本件特許発明１と甲１発明とを対比するにあたり、本件特許発明１と甲１発明とを再掲する。
　　
（本件特許発明１）
（Ａ）楽曲ＩＤで特定される楽曲データ及びこれら楽曲に関する利用者楽曲リストを記憶している携帯端末と通信自在であると共に、少なくとも当該携帯端末の端末ＩＤが利用者の利用者ＩＤに関連付けられた利用者情報を備えるサーバと通信自在であるカラオケ装置であって、
（Ｂ）ログインした利用者の利用者ＩＤに基づいて、前記サーバより当該利用者の所持する携帯端末の端末ＩＤを少なくとも含む利用者情報を取得する利用者情報取得手段と、
（Ｃ）前記取得した端末ＩＤに基づいて、前記利用者の所持する携帯端末にアクセスして前記記憶されている利用者楽曲リストを取得する楽曲リスト取得手段と、
（Ｄ）前記取得した利用者楽曲リストに基づいて、少なくとも楽曲の楽曲ＩＤと当該楽曲を記憶している携帯端末の端末ＩＤとが紐付けられた選曲用楽曲リストを生成する楽曲リスト生成手段と、
（Ｅ）前記生成した選曲用楽曲リストに基づいて、カラオケ演奏する楽曲を前記利用者に選曲させる選曲楽曲登録手段と、
（Ｆ）前記選曲された楽曲の楽曲ＩＤを少なくとも登録する予約待ち行列と、
（Ｇ）前記登録された楽曲ＩＤと当該楽曲ＩＤに紐付けられた携帯端末の端末ＩＤとに基づいて、当該携帯端末にアクセスして前記楽曲データを取得する楽曲データ取得手段と、
（Ｈ）前記取得した楽曲データより少なくとも伴奏データを抽出してカラオケ演奏用データに加工する加工手段と、
（Ｉ）少なくとも前記カラオケ演奏用データを再生する再生手段と、
（Ｊ）前記カラオケ演奏用データの再生終了後、当該カラオケ演奏用データに対応する楽曲ＩＤが前記予約待ち行列に残っていない場合に、当該カラオケ演奏用データ及びこれに付随する生成データ並びに当該カラオケ演奏用データに対応する楽曲データを消去する消去手段と、を有することを特徴とする
（Ａ）カラオケ装置。
　　
（甲１発明）
（１ａ）携帯端末装置102（携帯電話）とUSBインターフェースを介して接続されていると共に、カラオケホスト装置116と通信部107を介して接続されているカラオケ再生装置101であって、
（１ｂ）ユーザが携帯端末装置102をカラオケ再生装置101に接続すると、前記携帯端末装置102の識別番号、装置の種類を示す機器情報及び前記携帯端末装置102に記憶されているUSBデバイスファイル情報を取得する中央制御部113と、
（１ｃ）前記機器情報に対応させた前記USBデバイスファイル情報のうちのタグ情報とカラオケ楽曲データベース110のカラオケ楽曲データのカラオケ番号との対応を示す楽曲テーブルを作成するデータベース制御部108と、
（１ｄ）ここで、前記USBデバイスファイル情報は、前記携帯端末装置102に記憶されているオーディオファイルのタグ情報に基づく情報であり、ファイル名、アーティスト名、タイトル、ファイルサイズなどの情報であり、
（１ｅ）前記中央制御部113は、ユーザがリモコン装置115により「あなたの曲」を指定した場合、すなわち前記携帯端末装置102に記憶されているオーディオファイルを選択した場合、前記楽曲テーブルに基づいて、前記携帯端末装置102に記憶されているオーディオファイルの楽曲名を示すメニュー画面を表示し、
（１ｆ）前記中央制御部113は、前記楽曲テーブルを参照して、選択された楽曲のオーディオファイルを前記携帯端末装置102から取得し、取得したオーディオファイルを再生し、
（１ｇ）前記中央制御部113は、前記カラオケ再生装置101から前記携帯端末装置102の接続が解除された場合、楽曲テーブルをクリアする
（１ａ）カラオケ再生装置101。
　　
（２）対比
　本件特許発明１と甲１発明とを対比する。
　　
ア　構成要件Ａと構成１ａ、１ｄとを対比する。
　構成１ｄの「オーディオファイル」は、構成要件Ａの「楽曲データ」に相当する。
　構成１ｄの「USBデバイスファイル情報」は、「前記携帯端末装置102に記憶されているオーディオファイルのタグ情報に基づく情報であり」、オーディオファイルを特定できるものであって、「楽曲ＩＤ」に相当する。また、構成１ｄの「USBデバイスファイル情報」は、構成要件Ａの「これら楽曲に関する利用者楽曲リスト」に相当する。
　構成１ａの「携帯端末装置102」は、構成要件Ａの「携帯端末」に相当し、構成要件Ａの「カラオケ装置」に相当する「カラオケ再生装置101」と「USBインターフェースを介して接続されている」から、「通信自在」といえる。
　構成１ａの「カラオケホスト装置116」は、「サーバ」といえるから、構成要件Ａの「サーバ」として共通する。しかしながら、構成要件Ａの「サーバ」は、「少なくとも当該携帯端末の端末ＩＤが利用者の利用者ＩＤに関連付けられた利用者情報を備える」のに対し、構成１ａの「カラオケホスト装置116」は、当該利用者情報を備えていない点で相違する。
　以上まとめると、構成要件Ａと構成１ａ、１ｄとは、「楽曲ＩＤで特定される楽曲データ及びこれら楽曲に関する利用者楽曲リストを記憶している携帯端末と通信自在であると共に、サーバと通信自在であるカラオケ装置」として共通する。
　しかしながら、「サーバ」が、本件特許発明１においては、「少なくとも当該携帯端末の端末ＩＤが利用者の利用者ＩＤに関連付けられた利用者情報を備える」のに対し、甲１発明においては、当該利用者情報を備えていない点で相違する。
　　
イ　構成要件Ｂと構成１ｂとを対比する。
　構成１ｂの「携帯端末装置102の識別番号」は、構成要件Ｂの「携帯端末の端末ＩＤ」に相当する。また、構成１ｂの「携帯端末装置102の識別番号」は、「携帯端末の端末ＩＤを少なくとも含む利用者情報」ともいえる。
　構成１ｂの「中央制御部113」は、「携帯端末装置102の識別番号」を取得するから、「携帯端末の端末ＩＤを少なくとも含む利用者情報を取得する利用者情報取得手段」として構成要件Ｂと共通する。
　しかしながら、上記アのとおり、「サーバ」が、本件特許発明１においては、「少なくとも当該携帯端末の端末ＩＤが利用者の利用者ＩＤに関連付けられた利用者情報を備える」のに対し、甲１発明においては、当該利用者情報を備えていない点で相違し、それに伴い、「利用者情報取得手段」が、本件特許発明１においては、「ログインした利用者の利用者ＩＤに基づいて、前記サーバより当該利用者の所持する」携帯端末の端末ＩＤを少なくとも含む利用者情報を取得するのに対し、甲１発明においては、「ログインした利用者の利用者ＩＤに基づいて、前記サーバより当該利用者の所持する」携帯端末の端末ＩＤを少なくとも含む利用者情報を取得するものではない点で相違する。
　　
ウ　構成要件Ｃと構成１ｂとを対比する。
　構成１ｂの「USBデバイスファイル情報」は、前記携帯端末装置102に記憶されているオーディオファイルのタグ情報に基づく情報（構成１ｄ）であるから、構成要件Ｃの「利用者楽曲リスト」に相当する。
　そうすると、構成要件Ｃと構成１ｂとは、「前記取得された端末ＩＤに基づいて、前記利用者の所持する携帯端末にアクセスして前記記憶されている利用者楽曲リストを取得する楽曲リスト取得手段」として一致する。
　　
エ　構成要件Ｄと構成１ｃとを対比する。
　構成１ｃの「楽曲テーブル」は、構成要件Ｄの「選曲用楽曲リスト」に相当する。
　構成１ｃの「前記USBデバイスファイル情報」は、「前記機器情報に対応」しているから、構成１ｃの「楽曲テーブル」は、「当該楽曲を記憶している携帯端末の端末ＩＤとが紐付けられ」ているといえる。
　したがって、構成要件Ｄと構成１ｃとは、「前記取得した利用者楽曲リストに基づいて、少なくとも楽曲の楽曲ＩＤと当該楽曲を記憶している携帯端末の端末ＩＤとが紐付けられた選曲用楽曲リストを生成する楽曲リスト生成手段」として一致する。
　　
オ　構成要件Ｅと構成１ｆとを対比する。
　構成１ｆの「中央制御部113」は、「前記楽曲テーブルを参照して」楽曲を選択するから、「前記生成した選曲用楽曲リストに基づいて、カラオケ演奏する楽曲を前記利用者に選曲させる選曲楽曲登録手段」として、構成要件Ｅと一致する。
　　
カ　構成要件Ｆについて
　甲１発明は、カラオケ再生装置であり、カラオケ再生装置において、「前記選曲された楽曲の楽曲ＩＤを少なくとも登録する予約待ち行列」を有することは明らかである。
　したがって、本件特許発明１と甲１発明とは、「前記選曲された楽曲の楽曲ＩＤを少なくとも登録する予約待ち行列」を有する点で一致する。
　　
キ　構成要件Ｇと構成１ｆとを対比する。
　構成１ｆの「前記楽曲テーブル」は、上記エのとおり、「当該楽曲を記憶している携帯端末の端末ＩＤとが紐付けられ」ているといえる。
　したがって、構成要件Ｇと構成１ｆとは、「前記登録された楽曲ＩＤと当該楽曲ＩＤに紐付けられた携帯端末の端末ＩＤとに基づいて、当該携帯端末にアクセスして前記楽曲データを取得する楽曲データ取得手段」として一致する。
　　
ク　構成要件Ｈについて
　甲１発明は、「前記取得した楽曲データより少なくとも伴奏データを抽出してカラオケ演奏用データに加工する加工手段」を有しておらず、本件特許発明１と相違する。
　　
ケ　構成要件Ｉと構成１ｆとを対比する。
　構成１ｆの「中央制御部113」は、「取得したオーディオファイルを再生」するから、「少なくともカラオケ演奏用データを再生する再生手段」として共通する。
　しかしながら、「カラオケ演奏データ」が、甲１発明においては、上記クのとおり「前記取得した楽曲データより少なくとも伴奏データを抽出してカラオケ演奏用データに加工する加工手段」がないから、「前記」カラオケ演奏データでない点で本件特許発明１と相違する。
　　
コ　構成要件Ｊと構成１ｇとを対比する。
　構成１ｇによると、「前記中央制御部113は、前記カラオケ再生装置101から前記携帯端末装置102の接続が解除された場合、楽曲テーブルをクリアする」から、甲１発明は、「消去手段」を有するとして、本件特許発明１と共通する。
　しかしながら、「消去手段」が、本件特許発明１においては、「前記カラオケ演奏用データの再生終了後、当該カラオケ演奏用データに対応する楽曲ＩＤが前記予約待ち行列に残っていない場合に、当該カラオケ演奏用データ及びこれに付随する生成データ並びに当該カラオケ演奏用データに対応する楽曲データを消去する」のに対し、甲１発明においては、「前記カラオケ再生装置101から前記携帯端末装置102の接続が解除された場合、楽曲テーブルをクリアする」点で相違する。
　　
（３）一致点、相違点
　以上によると、一致点、相違点は次のとおりである。
　　
（一致点）
　楽曲ＩＤで特定される楽曲データ及びこれら楽曲に関する利用者楽曲リストを記憶している携帯端末と通信自在であると共に、サーバと通信自在であるカラオケ装置であって、
　携帯端末の端末ＩＤを含む利用者情報を取得する利用者情報取得手段と、
　前記取得した端末ＩＤに基づいて、前記利用者の所持する携帯端末にアクセスして前記記憶されている利用者楽曲リストを取得する楽曲リスト取得手段と、
　前記取得した利用者楽曲リストに基づいて、少なくとも楽曲の楽曲ＩＤと当該楽曲を記憶している携帯端末の端末ＩＤとが紐付けられた選曲用楽曲リストを生成する楽曲リスト生成手段と、
　前記生成した選曲用楽曲リストに基づいて、カラオケ演奏する楽曲を前記利用者に選曲させる選曲楽曲登録手段と、
　前記選曲された楽曲の楽曲ＩＤを少なくとも登録する予約待ち行列と、
　前記登録された楽曲ＩＤと当該楽曲ＩＤに紐付けられた携帯端末の端末ＩＤとに基づいて、当該携帯端末にアクセスして前記楽曲データを取得する楽曲データ取得手段と、
　少なくともカラオケ演奏用データを再生する再生手段と、
　消去手段と、
　を有することを特徴とするカラオケ装置。
　　
（相違点１）
　「サーバ」が、本件特許発明１においては、「少なくとも当該携帯端末の端末ＩＤが利用者の利用者ＩＤに関連付けられた利用者情報を備える」のに対し、甲１発明においては、当該利用者情報を備えていない点で相違し、
　それに伴い、「利用者情報取得手段」が、本件特許発明１においては、「ログインした利用者の利用者ＩＤに基づいて、前記サーバより当該利用者の所持する」携帯端末の端末ＩＤを少なくとも含む利用者情報を取得するのに対し、甲１発明においては、「ログインした利用者の利用者ＩＤに基づいて、前記サーバより当該利用者の所持する」携帯端末の端末ＩＤを少なくとも含む利用者情報を取得するものではない点
　　
（相違点２）
　本件特許発明１が「前記取得した楽曲データより少なくとも伴奏データを抽出してカラオケ演奏用データに加工する加工手段」を有しているのに対し、甲１発明が当該加工手段を有しておらず、
　それに伴い、「再生手段」が、本件特許発明１においては「前記」カラオケ演奏用データを再生するのに対し、甲１発明は「前記」カラオケ演奏用データを再生するものではない点
　　
（相違点３）　
　「消去手段」が、本件特許発明１においては、「前記カラオケ演奏用データの再生終了後、当該カラオケ演奏用データに対応する楽曲ＩＤが前記予約待ち行列に残っていない場合に、当該カラオケ演奏用データ及びこれに付随する生成データ並びに当該カラオケ演奏用データに対応する楽曲データを消去する」のに対し、甲１発明においては、「前記カラオケ再生装置101から前記携帯端末装置102の接続が解除された場合、楽曲テーブルをクリアする」点
　　
（４）判断
　相違点１について、検討する。
　上記第４の２（２）のとおり、甲第２号証には、甲２発明が記載されている。
　甲１発明と甲２発明は、携帯端末の楽曲リストをカラオケ装置或いはカラオケ装置のリモコンへ送信する技術として技術分野が共通しているから、甲１発明に甲２発明を適用することは、当業者が容易に想到し得ることである。
　しかしながら、甲２発明は、携帯端末Ｔ１が楽曲リストを管理サーバ３に送信し（構成２ｃ）、管理サーバ３が楽曲リストの内カラオケ装置２で演奏可能なカラオケ曲リストを記憶し（構成２ｄ）、カラオケルーム内のリモコン１が管理サーバ３からカラオケ曲リストを受信するもの（構成２ｉ）である。
　したがって、甲１発明に甲２発明を適用したカラオケ装置は、携帯端末装置の「楽曲リスト」（USBデバイスファイル情報）をカラオケホスト装置から受信するカラオケ装置となり、携帯端末装置から「楽曲リスト」を取得するカラオケ装置にはならない。
　そうすると、甲１発明に甲２発明を適用したカラオケ装置は、「サーバが利用者の利用者ＩＤに関連付けられた利用者情報を備える」（構成要件Ａ）こと、「ログインした利用者の利用者ＩＤに基づいて」、「前記サーバより」「利用者情報を取得する利用者情報取得手段」（構成要件Ｂの一部）を備えること、になり得るものの、「前記サーバより当該利用者の所持する携帯端末の端末ＩＤ」を「取得する利用者情報取得手段」（構成要件Ｂ）、及び、「前記取得した端末ＩＤに基づいて、前記利用者が所持する携帯端末にアクセスして前記記憶されている利用者楽曲リストを取得する」（構成要件Ｃ）を備えること、になり得ないといえる。
　よって、甲１発明に甲２発明を適用しても、相違点１の構成になり得るものといえず、また、甲第３〜７号証をみても、相違点１に係る構成を開示するものはない。
　以上のとおりであるから、当業者であっても、本件特許発明１は、甲第１〜７号証に記載された発明又は技術に基づいて、容易に発明できたものとは認められない。
　　
２　本件特許発明２〜５、７について
　異議申立人は、本件特許発明２〜５、７は、甲１発明及び甲２〜７に記載された技術に基づいて容易に発明できたものであると主張しているが、本件特許発明２〜５、７が引用する本件特許発明１が甲１発明及び甲２〜７に記載された技術に基づいて容易に発明できたものでないことは、上記１のとおりであり、異議申立人の主張は理由がない。
　　
第６　むすび
　以上のとおりであるから、特許異議申立理由によっては、請求項１〜５、７に係る特許を取り消すことはできない。
　また、他に本件請求項１〜５、７に係る特許を取り消すべき理由を発見しない。
　よって、結論のとおり決定する。
【異議決定日】
平成３１年１月８日（２０１９．１．８）